(57)【要約】【課題】              メッキ調のカバー部品を採用した場合の実装性および意匠性の自由度を向上させること。【解決手段】          ケースと、前記ケースに取り付けられたカバー部品と、前記ケース内であって前記カバー部品の近傍に実装された発光素子と、を有する電気製品において、前記カバー部品２１は、透明材料よりなる基礎部分と、前記基礎部分上に形成されるとともに、金属膜が島状構造で連続につながっていない不連続金属膜２１Ｂと、を有する。【選択図】            図４
2006203520.tif 000002
【特許請求の範囲】
【請求項１】
ケースと、前記ケースに取り付けられたカバー部品と、前記ケース内であって前記カバー部品の近傍に実装された発光素子と、を有する電気製品において、
前記カバー部品は、
透明材料よりなる基礎部分と、
前記基礎部分上に形成されるとともに、金属膜が島状構造で連続につながっていない不連続金属膜と、
を有することを特徴とする電気製品。
【請求項２】
ケースと、前記ケースに取り付けられたカバー部品と、前記ケース内であって前記カバー部品の近傍に実装された発光素子と、を有する電気製品において、
前記カバー部品は、
透明材料よりなる基礎部分と、
前記基礎部分上に形成された透明なアンダーコート膜と、
前記アンダーコート膜上に形成されるとともに、金属膜が島状構造で連続につながっていない不連続金属膜と、
前記透明な不連続金属膜上に形成された透明なトップコート膜と、
を有することを特徴とする電気製品。
【請求項３】
前記基礎部分は、有色透明材料よりなることを特徴とする請求項１又は２記載の電気製品。
【請求項４】
前記基礎部分は、表面に凹凸パターンが形成されていることを特徴とする請求項１乃至３のいずれか一に記載の電気製品。
【請求項５】
前記基礎部分と前記不連続金属膜の間に所定のパターンに形成されるとともに、有色成分、又は光を透過しない成分よりなるパターン膜を備えることを特徴とする請求項１乃至４のいずれか一に記載の電気製品。
【請求項６】
前記基礎部分の表面のうち前記不連続金属膜が配された面の反対側の面に所定のパターンに形成されるとともに、有色成分、又は光を透過しない成分よりなるパターン膜を備えることを特徴とする請求項１乃至４のいずれか一に記載の電気製品。
【請求項７】
前記アンダーコート膜は、有色透明であることを特徴とする請求項２記載の電気製品。
【請求項８】
前記トップコート膜は、有色透明であることを特徴とする請求項２記載の電気製品。
【請求項９】
前記発光素子からの光を前記カバー部品の外部に導く発光素子レンズを備えることを特徴とする請求項１乃至８のいずれか一に記載の電気製品。
【請求項１０】
前記電気製品は、携帯通信端末であることを特徴とする請求項１乃至９のいずれか一に記載の電気製品。
【発明の詳細な説明】
【技術分野】
【０００１】
本発明は、電気製品に関し、特に、着信等の報知機能を有する携帯通信端末等の電気製品に関する。
【背景技術】
【０００２】
従来の携帯通信端末には、カメラ、カメラライト、及びＬＥＤを有するものがある。カメラ、カメラライト、及びＬＥＤは、通常、比較的小さな領域に集合している。そして、携帯通信端末のケース（筐体）には、カメラ、カメラライト、及びＬＥＤ用の穴又は窓を有するカバー部品を備えるものがある。カバー部品は、携帯通信端末にカメラ、カメラライト、及びＬＥＤを備えていることをアピールするために、目立つ意匠を選択する場合が多い。そして、目立つ意匠にする手段として、カバー部品をメッキ調の意匠にする場合が多い。
【０００３】
このようなメッキ調のカバー部品として、例えば、（１）プラスチック成形品の表面に金属メッキを形成したカバー部品（メッキ型カバー部品）や、（２）アルミニウム等の金属の蒸着箔を用いてプラスチックと同時に成形するインモールド成形したカバー部品（インモールド型カバー部品）や、（３）プラスチック成形品の表面にアルミニウム等の金属を蒸着したカバー部品（蒸着型カバー部品）や、（４）金属自体を用いて製作したカバー部品（金属型カバー部品）がある。
【０００４】
【特許文献１】特開２００２−２８１１４３号公報
【特許文献２】特開２００４−４７１３８号公報
【特許文献３】特開２００４−３２８３２５号公報
【発明の開示】
【発明が解決しようとする課題】
【０００５】
しかしながら、携帯通信端末のケースにメッキ調のカバー部品を選択する場合、以下のような問題があった。
【０００６】
メッキ型カバー部品の場合、高圧の静電気を受けることによって帯電するため、携帯通信端末の内部回路に放電したりして、動作不良や破壊が発生する場合がある。また、メッキ型カバー部品は、金属メッキ層にて電波が遮蔽されるので、その内側に内部アンテナを設けた場合に、その内部アンテナの感度を低下させることになるので、内側に内部アンテナを設けることが困難である等の実装上の制約がある。また、メッキ型カバー部品は、携帯通信端末を落下した時に金属メッキ層に割れが生じやすいので、変形し難いカバー部品の形状や位置を選択しなくてはならず、実装上の制約が発生する。さらに、メッキ型カバー部品は、光を透過しないという性質があるため、意匠性に制限があった。
【０００７】
インモールド型カバー部品の場合、メッキ型カバー部品ほどではないが、高圧の静電気を受けることによって帯電するため、携帯通信端末の内部回路に放電したりして、動作不良や破壊が発生するおそれがある。また、インモールド型カバー部品は、その金属蒸着層にて電波が遮蔽されるので、その内側に内部アンテナを設けた場合に、その内部アンテナの感度を低下させることになるので、内側に内部アンテナを設けることが困難である等の実装上の制約がある。また、インモールド型カバー部品は、光を透過しないという性質があるため、意匠性に制限があった。
【０００８】
蒸着型カバー部品の場合、インモールド型カバー部品と同様で、メッキ型カバー部品ほどではないが、高圧の静電気を受けることによって帯電するため、携帯通信端末の内部回路に放電したりして、動作不良や破壊が発生するおそれがある。また、蒸着型カバー部品は、その金属蒸着層にて電波が遮蔽されるので、その内側に内部アンテナを設けた場合に、その内部アンテナの感度を低下させることになるので、内側に内部アンテナを設けることが困難である等の実装上の制約がある。また、蒸着型カバー部品は、光を透過しないという性質があるため、意匠性に制限があった。
【０００９】
金属型カバー部品の場合、金属板材を曲げ加工（あるいはプレス加工）によって製作されるが、加工できる形状に制限があり、プラスチックを用いた他のカバー部品よりも比重が大きいために質量が増加してしまう。また、金属型カバー部品は、高圧の静電気を受けることによって帯電しやすく、携帯通信端末の内部回路に放電したりして、動作不良や破壊が発生するおそれがある。さらに、金属型カバー部品は、電波を遮蔽する働きがあり、その内側に内部アンテナを設けた場合に、その内部アンテナの感度を低下させることになるので、内側に内部アンテナを設けることが困難である等の実装上の制約がある。また、金属型カバー部品は、光を透過しないという性質があるため、意匠性に制限があった。
【００１０】
本発明の課題は、メッキ調のカバー部品を採用した場合の実装性および意匠性の自由度を向上させることである。
【課題を解決するための手段】
【００１１】
本発明の第１の視点においては、ケースと、前記ケースに取り付けられたカバー部品と、前記ケース内であって前記カバー部品の近傍に実装された発光素子と、を有する電気製品において、前記カバー部品は、透明材料よりなる基礎部分と、前記基礎部分上に形成されるとともに、金属膜が島状構造で連続につながっていない不連続金属膜と、を有することを特徴とする。
【００１２】
本発明の第２の視点においては、ケースと、前記ケースに取り付けられたカバー部品と、前記ケース内であって前記カバー部品の近傍に実装された発光素子と、を有する電気製品において、前記カバー部品は、透明材料よりなる基礎部分と、前記基礎部分上に形成された透明なアンダーコート膜と、前記アンダーコート膜上に形成されるとともに、金属膜が島状構造で連続につながっていない不連続金属膜と、前記透明な不連続金属膜上に形成された透明なトップコート膜と、を有することを特徴とする。
【発明の効果】
【００１３】
本発明（請求項１−９）によれば、報知のために点灯する発光素子の光を、発光素子レンズを通してだけでなく、その周囲のメッキ調のカバー部品を通して外部へ出力ことが可能になり、報知の認知度向上や意匠性の向上を可能にする。
【００１４】
本発明（請求項１−９）によれば、不連続金属膜の金属膜が不連続なので、電波を遮蔽する働きをしなくなり、その内側に内部アンテナを設けた場合、その内部アンテナの感度を低下させることがなくなるため、内部アンテナを設ける上での実装上の制約がなくなる。
【発明を実施するための最良の形態】
【００１５】
（実施形態１）
本発明の実施形態１に係る携帯通信端末について図面を用いて説明する。図１は、本発明の実施形態１に係る折畳型携帯通信端末の開いた状態の外観構成を模式的に示した斜視図である。図２は、本発明の実施形態１に係る折畳型携帯通信端末の閉じた状態の外観構成を模式的に示した斜視図である。図３は、本発明の実施形態１に係る第１のケースの構成を模式的に示したＸ−Ｘ´間の部分断面図である。
【００１６】
携帯通信端末１は、折畳型携帯電話機であり、第１のケース１０Ａと第２のケース１０Ｂとが、ヒンジ部２０を介して回動可能に接続されている。ここでは、折り畳んだ時において、会合面側をフロント側とし、外側になる面をリア側とする。なお、携帯通信端末１は、例えば、携帯電話機、ＰＨＳ、通信機能を有するＰＤＡ等の携帯機器としてもよく、また、折畳型でなくてもよい。
【００１７】
第１のケース１０Ａは、第１のフロントケース１１と第１のリアケース１２で組み合わされたケースである。第１のケース１０Ａは、表示部（図示せず）、レシーバ（図示せず）、カメラ窓２２、カメラライトレンズ２３、発光素子レンズ２４、回路基板２５、カメラ２６、カメラライト２７、発光素子２８等が実装されている。
【００１８】
第１のフロントケース１１は、ヒンジ部２０の反対側の端部の近傍に、レシーバ用穴１８を有する。第１のフロントケース１１は、中央部に、表示窓１７があり、表示窓１７から表示部（ＬＣＤ）を見ることができる。
【００１９】
第１のリアケース１２は、カバー部品２１が取り付けられている。第１のリアケース１２は、カメラ窓２２、カメラライトレンズ２３、及び発光素子レンズ２４のそれぞれに対応する穴を有する。第１のリアケース１２は、カメラ２６と、カメラライト２７と、発光素子２８とが互いに光が干渉しないようにするために、内側に仕切部１２Ａが設けられている。
【００２０】
カバー部品２１は、カメラ窓２２、カメラライトレンズ２３、及び発光素子レンズ２４のそれぞれに対応する穴を有する。カバー部品２１は、第１のリアケース１２に対して、両面テープ（図示せず）での貼付固定等をされている。なお、カバー部品２１の詳細な構成については後述する。
【００２１】
カメラ窓２２は、カバー部品２１のカメラ窓２２用の穴と対応する位置で、第１のリアケース１２又はカバー部品２１に、両面テープ（図示せず）により固定されるか、圧入嵌合により固定されている。カメラライトレンズ２３は、カバー部品２１のカメラライトレンズ２３用の穴と対応する位置で、第１のリアケース１２又はカバー部品２１に、両面テープ（図示せず）により固定されるか、圧入嵌合により固定されており、第１のリアケース１２を貫通している。発光素子レンズ２４は、カバー部品２１の発光素子レンズ２４用の穴と対応する位置で、第１のリアケース１２又はカバー部品２１に、両面テープ（図示せず）により固定されるか、圧入嵌合により固定されており、第１のリアケース１２を貫通している。回路基板２５には、カメラ２６、カメラライト２７、発光素子２８が実装されている。カメラ２６は、カメラ窓２２を通して外界の光を取り込んで撮影する。カメラライト２７は、必要に応じて発光しカメラライトレンズ２３を通して光を外界へ出す。発光素子２８は、必要に応じて発光し発光素子レンズ２４を通して光を外界へ出す。
【００２２】
第２のケース１０Ｂは、第２のフロントケース１３と第２のリアケース１４で組み合わされたケースである。第２のケース１０Ｂは、キーボタン１６やスピーカ（図示せず）が実装されている。
【００２３】
第２のフロントケース１３は、複数のキーボタン１６と対応する複数の穴を有する。第２のフロントケース１３は、ヒンジ部２０の反対側の端部の近傍に、マイク用穴１９を有する。第２のリアケース１４には、電源パッケージ１５が着脱可能に取り付けられている
【００２４】
次に、本発明の実施形態１に係る携帯通信端末のカバー部品の詳細な構成について図面を用いて説明する。図４は、本発明の実施形態１に係る携帯通信端末のカバー部品の構成を模式的に示した断面図である。図５は、本発明の実施形態１に係る携帯通信端末のカバー部品の不連続金属膜の一例を示した拡大写真である。
【００２５】
カバー部品２１の基礎部分は、ＡＢＳ、ＰＣ等の光が透過し易い透明材料で成形されている。カバー部品２１の外側の表面には、光が透過し易い透明なアンダーコート膜２１Ａが成膜されており、その上に不連続金属膜２１Ｂが成膜されており、さらにその上に光が透過し易い透明なトップコート膜２１Ｃが成膜されている（図４参照）。
【００２６】
不連続金属膜２１Ｂは、例えば、Ｓｎの真空蒸着によりカバー部品２１のアンダーコート膜２１Ａの表面に成膜されるが、ある一定の厚さ以下にすると、図５のように、Ｓｎの金属膜が島状構造（網目構造）に形成される。ここで、不連続金属膜２１Ｂの「不連続」とは、金属膜が島状構造で連続につながっていない状態をいう。なお、膜厚をある厚さ以上にすると、島がつながり電気的に導通する連続膜となる。不連続金属膜２１Ｂは、不連続状態でも、ある程度以上、島が密になると、連続状態と同様のシルバーの金属光沢を持つことができる。また、不連続金属膜２１Ｂは、蒸着した金属膜が不連続なので、電気の導通がなくなり、絶縁膜となる。なお、不連続金属膜２１Ｂの１つ１つの島は、例えば、Ｓｎの場合は平均直径５０〜１５０ｎｍ程度である。これにより、カバー部品２１が高圧の静電気を受けて帯電し、携帯通信端末の内部回路に放電したりして、動作不良や破壊を起こすことがなくなる。また、不連続金属膜２１Ｂは金属膜が不連続なので、電波を遮蔽する働きをしなくなり、その内側に内部アンテナを設けた場合その内部アンテナの感度を低下させることがなくなるため、内部アンテナを設ける上での実装上の制約がなくなる。また、不連続金属膜２１Ｂは、金属膜の島の間の網状の非蒸着部から光を透過するという特徴を持つ。
【００２７】
携帯通信端末の基本的な構成について図面を用いて説明する。図６は、本発明の実施形態１に係る携帯通信端末の構成を模式的に示したブロック図である。
【００２８】
携帯通信端末１は、アンテナ部３１と、無線部３２と、音声処理部３３と、マイク３４と、レシーバ３５と、制御部３６と、報知部３７と、スピーカ３８と、バイブレータ３９と、キー操作入力部４０と、表示制御部４１と、表示部４２と、データ管理部４３と、メモリ部４４と、カメラ制御部４５と、カメラ２６と、カメラライト２７と、発光素子２８と、を備える。
【００２９】
無線部３２は、アンテナ３１を介して基地局との間で無線信号の送受信を行う。音声処理部３３は、受信した信号を音声信号に変換し、音声信号を送信用の信号に変換する。マイク３４は、音声を音声信号に変換する。レシーバ３５は、相手方の音声信号を音声に変換し、当該音声を出力する。
【００３０】
制御部３６は、報知部３７、キー操作入力部４０、表示制御部４１、データ管理部４３、及びカメラ制御部４５を制御する。報知部３７は、制御部３６からの指示により、スピーカ３８を鳴動させるか、バイブレータ３９を振動させるか、発光素子２８を発光させて着信報知するとともに、着信電話番号を表示制御部４１に送り、表示部４２に表示するなどの動作をする。発光素子２８を発光させて着信報知する場合、発光素子２８の光を、発光素子レンズ２４を通して外部へ出力するだけではなく、カバー部品（図３の２１）を通して外部に出力できるようになる。
【００３１】
キー操作入力部４０は、キー操作による所定の情報を入力する。表示制御部４１は、表示部４２を制御する。表示部４２は、入力された情報等を表示する。データ管理部４３は、メモリ部４４を制御する。メモリ部４４は、相手の電話番号や氏名などの情報を格納する。表示した内容を確認し、キー操作入力部４０で確定操作を行うと、その情報はデータ管理部４３によりメモリ部４４内に格納される。
【００３２】
カメラ制御部４５は、キー操作入力部４０から制御部３６を通してカメラ使用開始情報を受け取る。すると、カメラ制御部４５は、カメラ２６やカメラライト２７の動作を開始する。カメラに写る映像は、カメラ制御部４５、制御部３６、表示制御部４１を通り、表示部４２で表示する。また、制御部３６からデータ管理部４３を通り、メモリ部４４内に格納することができる。カメラ撮影指示も、キー操作入力部４０で入力し、制御部３６、カメラ制御部４５を通ってカメラ２６やカメラライト２７へ伝えられ、撮影動作を行う。
【００３３】
実施形態１によれば、携帯通信端末１の着信等の報知のために点灯する発光素子２８の光を、発光素子レンズ２４を通してだけでなく、発光素子レンズ２４の周囲に配されたメッキ調のカバー部品２１を通して外部へ出力することにより、報知の認知度向上や意匠性の向上を可能にできる。つまり、カバー部品２１に不連続金属膜２１Ｂを採用することにより、金属光沢を維持しつつ、静電気破壊対策となり、内部アンテナの実装制限が緩和され、落下変形による割れが起こり難くなる。また、カバー部品２１の材料を光が透過し易い透明材料にし、不連続金属膜２１Ｂの上下のアンダーコート膜２１Ａとトップコート膜２１Ｃも光が透過し易い透明材料を採用することにより、内部の発光素子２８の光を発光素子レンズ２４だけでなく、カバー部品２１から外部に出力することができるようになる。これにより、カバー部品２１から光を出すことができるようになり、新しい意匠表現が可能となる。言い換えると、明るい所では、カバー部品２１は金属光沢を有し目立つ存在であるが、少し暗い場所では発光素子レンズ２４だけでなくカバー部品２１も光るようになるので、通常光らないメッキ調のカバー部品２１が光ることを使用者が知り、他機種にはない意外感を持つ事ができ、目立つ携帯通信端末の開発に寄与できる。
【００３４】
（実施形態２）
次に、本発明の実施形態２に係る携帯通信端末について図面を用いて説明する。図７は、本発明の実施形態２に係る携帯通信端末のカバー部品の構成を模式的に示した断面図である。
【００３５】
実施形態２に係る携帯通信端末の構成は、実施形態２に係る携帯通信端末の構成と同様であるが、カバー部品２９の構成が異なる。カバー部品２９の基礎部分は、実施形態１のカバー部品（図４の２１）の基礎部分と同様である。カバー部品２９の基礎部分とアンダーコート膜２９Ａの間には、有色成分（例えば、有色インク）、光を透過しない成分等を用いて文字、模様等を模ったパターン膜２９Ｄが成膜（印刷）されている。アンダーコート膜２９Ａ、不連続金属膜２９Ｂ、及びトップコート膜２９Ｃについては、実施形態１のアンダーコート膜（図４の２１Ａ）、不連続金属膜（図４の２１Ｂ）、及びトップコート膜（図４の２１Ｃ）と同様である。また、カバー部品２９の基礎部分の内側に、有色インク、光を透過しないインク等を用いて文字や模様に模ったパターン膜２９Ｅを成膜（印刷）してもよい。
【００３６】
実施形態２によれば、文字や模様を模ったパターン膜２９Ｄ、２９Ｅを成膜することにより、発光素子２８が点灯した際に、パターン膜２９Ｄ、２９Ｅの文字や模様が浮き出て見えるようになり、意匠性を向上させることができる。
【００３７】
（実施形態３）
本発明の実施形態３として、実施形態２のようなパターン膜２９Ｄ、２９Ｅを成膜する代わりに、カバー部品（図４の２１）の基礎部分の内側に、文字や模様に模った凹凸パターンを付けてもよい。これによっても、発光素子が点灯した際に、カバー部品の基礎部分の凹凸パターンによる文字や模様が浮き出て見える様になり、意匠性を向上させることができる。
【００３８】
（実施形態４）
本発明の実施形態４として、カバー部品（図４の２１）の基礎部分の材料に有色材料を用いたり、アンダーコート膜（図４の２１Ａ）やトップコート膜（図４の２１Ｃ）の材料に有色透明の材料を用いてもよい。これにより、意匠性に色という自由度を持たせることができる。
【図面の簡単な説明】
【００３９】
【図１】本発明の実施形態１に係る折畳型携帯通信端末の開いた状態の外観構成を模式的に示した斜視図である。
【図２】本発明の実施形態１に係る折畳型携帯通信端末の閉じた状態の外観構成を模式的に示した斜視図である。
【図３】本発明の実施形態１に係る第１のケースの構成を模式的に示したＸ−Ｘ´間の部分断面図である。
【図４】本発明の実施形態１に係る携帯通信端末のカバー部品の構成を模式的に示した断面図である。
【図５】本発明の実施形態１に係る携帯通信端末のカバー部品の不連続金属膜の一例を示した拡大写真である。
【図６】本発明の実施形態１に係る携帯通信端末の構成を模式的に示したブロック図である。
【図７】本発明の実施形態２に係る携帯通信端末のカバー部品の構成を模式的に示した断面図である。
【符号の説明】
【００４０】
１  携帯通信端末
１０Ａ  第１のケース
１０Ｂ  第２のケース
１１  第１のフロントケース
１２  第１のリアケース
１２Ａ  仕切部
１３  第２のフロントケース
１４  第２のリアケース
１５  電源パッケージ
１６  キーボタン
１７  表示窓
１８  レシーバ用穴
１９  マイク用穴
２０  ヒンジ部
２１、２９  カバー部品
２１Ａ、２９Ａ  アンダーコート膜
２１Ｂ、２９Ｂ  不連続金属膜
２１Ｃ、２９Ｃ  トップコート膜
２２  カメラ窓
２３  カメラライトレンズ
２４  発光素子レンズ
２５  回路基板
２６  カメラ
２７  カメラライト
２８  発光素子
２９Ｄ、２９Ｅ  パターン膜
３１  アンテナ部
３２  無線部
３３  音声処理部
３４  マイク
３５  レシーバ
３６  制御部
３７  報知部
３８  スピーカ
３９  バイブレータ
４０  キー操作入力部
４１  表示制御部
４２  表示部
４３  データ管理部
４４  メモリ部
４５  カメラ制御部
【図１】
2006203520.tif 000003
【図２】
2006203520.tif 000004
【図３】
2006203520.tif 000005
【図４】
2006203520.tif 000006
【図５】
2006203520.tif 000007
【図６】
2006203520.tif 000008
【図７】
2006203520.tif 000009